(57)【特許請求の範囲】
【請求項１】
起立した基板４の前後両面に一対の内枠５及び外枠６で形成された環状の嵌合溝７をそれぞれ設けるとともに、各外枠６上部縁部より薄肉ヒンジ10を介してそれぞれ前後へ一対の蓋板８を開閉可能に突設してなる隔壁部材２と、上記各嵌合溝７に抜け出しを防止して開口縁部をそれぞれ密に嵌着させるとともに、上記基板４とで内部にそれぞれ収納室Ａを形成し、且つ、上記各蓋板８で密に閉塞した取出口14をそれぞれ上面に開口してなる前後一対の外壁形成部材３とからなることを特徴とする二部屋容器。
【請求項２】
上記各外壁形成部材３が、外方から内方へ傾斜上昇する頂壁16を有し、且つ全体的に起立可能に構成してなる請求項１記載の二部屋容器。
【請求項３】
上記各嵌合溝７に抜け出しを防止して開口縁部をそれぞれ密に嵌着させる代わりに、各嵌合溝７に取り外し可能に開口縁部をそれぞれ密に嵌着させてなる請求項１記載の二部屋容器。
【発明の詳細な説明】
【０００１】
【発明の属する技術分野】
本発明は二部屋容器に関する。
【０００２】
【従来の技術】
一般的な容器の一つとして胴部より小径の口頸部を起立したボトルタイプのものが知られている。これらの容器には粉状，粒状の内容物を収納することも一般に行なわれているが、二種類の物質を収納しようとする場合には当然二つの容器が必要となり、その場合これら一般的な容器ではコスト高となり好ましくなく、特に内容物が安価な物の場合には適用出来ない。
【０００３】
【発明が解決しようとする課題】
本発明は、できるだけ簡単な構造で二種類の内容物を収納できるとともに、安価に製造でき、しかも取り扱いが便利な二部屋容器を提案するものである。また、多品種少数を容易に製造できる利点を兼ね備えた容器を提案するものである。
【０００４】
【課題を解決するための手段】
本請求項１発明の容器は上記課題を解決するため、起立した基板４の前後両面に一対の内枠５及び外枠６で形成された環状の嵌合溝７をそれぞれ設けるとともに、各外枠６上部縁部より薄肉ヒンジ10を介してそれぞれ前後へ一対の蓋板８を開閉可能に突設してなる隔壁部材２と、上記各嵌合溝７に抜け出しを防止して開口縁部をそれぞれ密に嵌着させるとともに、上記基板４とで内部にそれぞれ収納室Ａを形成し、且つ、上記各蓋板８で密に閉塞した取出口14をそれぞれ上面に開口してなる前後一対の外壁形成部材３とからなることを特徴とする二部屋容器として構成した。
【０００５】
また、請求項２発明の容器は、上記各外壁形成部材３が、外方から内方へ傾斜上昇する頂壁16を有し、且つ全体的に起立可能に構成してなる請求項１記載の二部屋容器として構成した。
【０００６】
また、請求項３発明の容器は、上記各嵌合溝７に抜け出しを防止して開口縁部をそれぞれ密に嵌着させる代わりに、各嵌合溝７に取り外し可能に開口縁部をそれぞれ密に嵌着させてなる請求項１記載の二部屋容器として構成した。
【０００７】
【発明の実施の形態】
以下、本発明の実施の形態を図面を参照して説明する。
【０００８】
本発明の二室容器１は合成樹脂により形成されたもので、隔壁部材２と、前後一対の外壁形成部材３とを備えている。
【０００９】
隔壁部材２は起立した基板４の前後両面に一対の内枠５及び外枠６で形成された嵌合溝７をそれぞれ設けるとともに、各外枠６よりそれぞれ一対の蓋板８を突設している。
【００１０】
基板４の形状は、例えば、四角形状，円形状，楕円形状，多角形状，不定形状等種々の形状が採用できる。また、嵌合溝７は、基板４の前後にそれぞれ突設した外枠６と、該外枠６から所定幅内側においてそれぞれ前後へ突設した内枠５との間に形成した環状をなしている。各内枠５及び外枠６の形成位置ひいては嵌合溝７の形成位置は上記要件を満たせば限定されないが、後述する収納室の形成効率を考慮すると、外側縁部に設けると良い。図示例では、正面視四角形状をなす基板４の前後面両縁部に各々嵌合溝７を設けている。また、外枠６の内面には係止突条９を周設している。
【００１１】
各蓋板８は、各外枠６の上部縁部にそれぞれ薄肉ヒンジ10を介して内側縁部を連結し、開閉可能に突設している。図示例では、後述取出口内周に密に嵌合する環状のシール筒11を下面に突設するとともに、シール筒11外方に取出口外周に嵌合する係止枠12を突設している。係止枠12は内側辺を除いた四角形状をなし、その外側辺内面には係合突条13を突設している。
【００１２】
各外壁形成部材３は、隔壁部材２の前後にそれぞれ嵌着固定するもので、上記各嵌合溝７に抜け出しを防止して開口縁部を密に嵌着させるとともに、上記基板４とで内部に収納室Ａを形成している。また、上面には取出口14を開口している。
【００１３】
図示例に於いて前部の外壁形成部材３は、基板４よりやや小さい四角形状をなす前壁15の周縁部よりそれぞれ基板４側内方へ広がる頂壁16，両側壁17，17及び底壁18を延設した中空横向きの四角錐台形状をなし、先端開口縁部分を短筒状の嵌合部19に形成している。また、嵌合部19の外周には係合突条20を突設している。
【００１４】
また取出口14は、頂壁16に穿設した窓孔周縁より立設するとともに、上端縁が水平状で且つ下端縁が頂壁16の傾斜に沿って傾斜する筒部21により囲成している。また、筒部21の外面上部には係止突条22を突設している。また外壁形成部材３の下面には、下面が外枠６下面と同レベルの支持板23を垂設し、容器１の安定した起立を維持できる如く構成している。この支持板23は、例えば外壁形成部材３の底面が外枠６下面と同じレベルの水平の場合にはなくても良く、要は容器１が安定に起立状態を維持できれば良い。
【００１５】
そして、嵌合部19を嵌合溝７内に嵌合させてその係合突条20を外枠６の係止突条９内側面に乗越え係合させて抜け出しを防止するとともに、嵌合部19内側面を内筒１外側面に密接して気密性を保持して外壁形成部材を隔壁部材２に嵌着固定する如く構成している。また、蓋板８は、シール筒11を筒部21の内面に嵌合させて気密性を保持するとともに、筒部21外周に嵌合させた係止枠12の係合突条13を筒部21の係止突条22に係合させて取出口14を閉塞している。尚、係合突条13と係止突条22の係合は容易に外れる如く構成している。
【００１６】
後部の外壁形成部材３は、基板４よりやや小さい四角形状をなす後壁24の周縁部よりそれぞれ基板側内方へ広がる頂壁16，両側壁17，17及び底壁18を延設した中空横向きの四角錐台形状をなし、その他は前部の外壁形成部材３と同様に構成されている。
【００１７】
上記の如く構成した容器１は、各収納室Ａにそれぞれ粉末や粒状の収納物を収納し、必要に応じて蓋板８をあけて取り出すことができる。この際外壁形成部材３の頂壁16が外方から内方へ傾斜上昇するものである場合には、傾斜面に取出口14が連続するため収納物の取り出しがより容易となる。また、各シール部分のシール性を強化することにより液体の収納も可能である。更に、取出口14の部分を除いた一部或いは全部をシュリンク包装等を施すことにより各部材の連結力をより向上させることも可能であり、図２に示す如く、胴部周囲にシュリンクラベル25を巻いて、装飾性等の付与を同時に行うことも可能である。
【００１８】
尚、上記実施例では、各外壁形成部材３を開口縁部を抜け出しを防止して隔壁部材２に嵌着させているが、上記係止突条９及び係合突条20を無くす等して取り外し可能に装着する如く構成することも可能である。この場合、収納物がなくなった場合に交換を行える利点がある。
【００１９】
【発明の効果】
以上説明した如く、本発明の二部屋容器は、既述構成としたことにより、構造が簡単な三部材を組み付けることにより形成できるため安価に製造でき、二種類の内容物を同時収納することができる。しかも、内容物取り出しの際には蓋板８をあけて容器を傾ければ良く、取り扱いも極めて便利である。また、各部材の色等を各種取り揃えておけば、多品種少数の容器を容易に製造できる利点もある。
【００２０】
また、請求項２発明の二部屋容器は、取出口14が傾斜する頂壁16に設けられているため、容器を傾けることにより傾斜面を介して取出口14に収納物が至り、その取り出しが極めて容易となり、また、立てても寝かしても保管しておける利点を兼ね備えている。
【００２１】
また、請求項３発明の二部屋容器は、収納物がなくなった際に変わりの外壁形成部材を用意しておいて交換できる利点を兼ね備えている。
【図面の簡単な説明】
【図１】本発明の一実施例を示す分解斜視図である。
【図２】同実施例の斜視図である。
【図３】同実施例の縦断面図である。
【符号の説明】
４…基板，５…内筒，６…外筒，７…嵌合溝，８…蓋板，10…薄肉ヒンジ，    14…取出口，16…頂壁
【図１】
0003916050.tif 000002
【図２】
0003916050.tif 000003
【図３】
0003916050.tif 000004